(57)【特許請求の範囲】
【請求項１】
光源と、
透光性を有する材料からなり、前記光源と対向する前面部及び前記前面部の周縁から前記前面部と交差する方向でかつ前記光源側に突出する側面部により箱状に形成され、前記光源を覆うように配置されるカバーとを備え、
前記カバーは、前記側面部に比べて前記前面部の光拡散性が高くなるように、前記前面部の内面に複数の第１シボが形成され、かつ、前記側面部の内面に第２シボが形成されており、
前記側面部と前記前面部とをつなぐ繋ぎ部の内面は、曲面形状であって、前記側面部から前記前面部に向けてシボ深さが徐々に深くなるような第３シボが形成されており、
前記複数の第１シボの各々の傾斜面に複数のシボが形成されていることを特徴とする光源ユニット。
【請求項２】
前記複数の第１シボの各々は、前記第２シボに比べてシボ深さが深くなっていることを特徴とする請求項１記載の光源ユニット。
【請求項３】
請求項１又は２に記載の光源ユニットと、前記光源ユニットに給電する電源ユニットとを備えたことを特徴とする照明器具。
【発明の詳細な説明】
【技術分野】
【０００１】
本発明は、光源ユニット及びそれを用いた照明器具に関し、より詳細には、照明空間を上方から照明する光源ユニット及びそれを用いた照明器具に関する。
【背景技術】
【０００２】
従来、体育館やホールなどの天井の高い建物に設置され、照明空間を上方から照明する、いわゆる高天井用の照明器具が提供されている（例えば特許文献１参照）。特許文献１記載の照明器具は、器具本体、４つの灯具、電源ブロック、取付金具などを備える。
【０００３】
灯具は、灯具本体、光源ブロック、配光ブロックなどを有する。光源ブロックは、光源ユニット、給電線、取付ばね、絶縁シートなどを備える。光源ユニットは、セラミックス製の基板と、基板の表面に形成される光源と、基板の表面に実装されるレセプタクルコネクタとを有する。光源は、基板に実装される複数個の発光ダイオードチップと、透光性を有しかつ蛍光材料が混合された合成樹脂製の封止部材とで構成される。
【０００４】
配光ブロックは、反射部材、透光パネル、防水部材で構成される。反射部材は、両端が開口した円錐台形状に形成される反射部と、反射部の出射側の開口縁から外向きに突出する円環状の外鍔部とが金属製の板材で一体に形成される。透光パネルは、アクリル樹脂やポリカーボネート樹脂、あるいはガラスなどの透光性材料によって円板状に形成される。
【０００５】
器具本体は、円形の底板、底板の周縁より上向きに突出する周壁、取付金具が取り付けられる一対の取付台などがアルミ又はアルミ合金によって一体に形成される。器具本体の底板には、４つの窓孔が底板の周方向に並ぶように貫通している。そして、４つの灯具は、窓孔を塞ぎかつ窓孔を通して下方に光を照射するように器具本体の底板に取り付けられる。
【先行技術文献】
【特許文献】
【０００６】
【特許文献１】特開２０１４−２６８０４号公報
【発明の概要】
【発明が解決しようとする課題】
【０００７】
上述の特許文献１記載の照明器具のように、指向性の強い発光ダイオードチップを光源に用いた場合、建物の利用者が照明器具を直視した際にグレア（まぶしさ）を感じる場合がある。そのため、このような高天井用の照明器具では、グレアを低減するための拡散パネルを後付けできるようになっている。
【０００８】
しかしながら、拡散パネルを照明器具に取り付けた場合、拡散パネルによりグレアを低減することはできるが、透光パネルを透過した光の一部が拡散パネルの周縁部分で遮られてしまい、照明空間への照射効率が低下する可能性があった。
【０００９】
また、拡散パネルは、透光パネルとの間に隙間を空けた状態で取り付けられる構造であり、そのためこの隙間に埃などが堆積した場合にも透光パネルを透過した光の一部が埃などで遮られてしまい、照明空間への照射効率が低下する可能性があった。
【００１０】
本発明は上記問題点に鑑みてなされており、グレアを低減しつつ、照明空間への照射効率を低下しにくくした光源ユニット及びそれを用いた照明器具を提供することを目的とする。
【課題を解決するための手段】
【００１１】
本発明の光源ユニットは、光源と、透光性を有する材料からなり、前記光源と対向する前面部及び前記前面部の周縁から前記前面部と交差する方向でかつ前記光源側に突出する側面部により箱状に形成され、前記光源を覆うように配置されるカバーとを備え、前記カバーは、前記側面部に比べて前記前面部の光拡散性が高くなるように、前記前面部の内面に複数の第１シボが形成され、かつ、前記側面部の内面に第２シボが形成されており、前記側面部と前記前面部とをつなぐ繋ぎ部の内面は、曲面形状であって、前記側面部から前記前面部に向けてシボ深さが徐々に深くなるような第３シボが形成されており、前記複数の第１シボの各々の傾斜面に複数のシボが形成されていることを特徴とする。
【００１２】
本発明の照明器具は、上述の光源ユニットと、前記光源ユニットに給電する電源ユニットとを備えたことを特徴とする。
【発明の効果】
【００１３】
本発明の光源ユニットは、グレアを低減しつつ、照明空間への照射効率を低下しにくくすることができる。
【００１４】
本発明の照明器具は、グレアを低減しつつ、照明空間への照射効率を低下しにくくすることができる。
【図面の簡単な説明】
【００１５】
【図１】本発明の実施形態に係る照明器具の全体斜視図である。
【図２】本発明の実施形態に係る照明器具の別の全体斜視図である。
【図３】本発明の実施形態に係る光源ユニットの分解斜視図である。
【図４】本発明の実施形態に係る光源ユニットの別の分解斜視図である。
【図５】本発明の実施形態に係る光源ユニットの全体斜視図である。
【図６】図６Ａは本発明の実施形態に係る光源ユニットに用いられるカバーの正面図、図６Ｂは右側面図、図６Ｃは底面図である。
【図７】図７Ａは本発明の実施形態に係る光源ユニットに用いられるカバーの断面図、図７ＢはＸ部詳細図である。
【発明を実施するための形態】
【００１６】
本発明の実施形態に係る光源ユニット１及び照明器具１０について、図面を参照しながら具体的に説明する。ただし、以下に説明する構成は、本発明の一例に過ぎず、本発明は下記の実施形態に限定されない。したがって、この実施形態以外であっても、本発明に係る技術思想を逸脱しない範囲であれば、設計等に応じて種々の変更が可能である。
【００１７】
なお、以下の説明では特に断りがない限り、図１において上下、左右、前後の各方向を規定する。したがって、本実施形態では、光源ユニット１の並ぶ方向が前後方向、光源ユニット１を構成する放熱部材３の放熱板３２の並ぶ方向が左右方向、これらの方向に直交する方向が上下方向となる。ただし、これらの方向は光源ユニット１及び照明器具１０の取付方向を規定するものではない。
【００１８】
本実施形態の照明器具１０は、例えば体育館やホールなどの天井の高い建物に設置され、照明空間を上方から照明する、いわゆる高天井用の照明器具である。この照明器具１０は、図１及び図２に示すように、複数（本実施形態では２つ）の光源ユニット１と、電源ユニット７とを備える。また、照明器具１０は、一対の連結部材１１と、アーム１２と、一対のアーム取付部材１３とをさらに備えるのが好ましい。
【００１９】
光源ユニット１は、図３及び図４に示すように、ＬＥＤモジュール２（光源）と、カバー６とを備える。また、光源ユニット１は、放熱部材３と、レンズブロック４と、シール部材５とをさらに備えるのが好ましい。
【００２０】
ＬＥＤモジュール２は、図３及び図４に示すように、実装基板２０と、複数個（図３では２２個）の発光ダイオード２１（以下、ＬＥＤ２１と称す）とを有する。実装基板２０は、矩形平板状のアルミ基板で構成される。各ＬＥＤ２１は、従来周知であるパッケージ型の白色ＬＥＤである。これらのＬＥＤ２１は、実装基板２０の下面において縦横に並べて実装される。
【００２１】
また、実装基板２０の下面には、実装基板２０の下面に形成された配線用の導体を介して各ＬＥＤ２１に電気的に接続されたレセプタクルコネクタが実装される。さらに、実装基板２０の四隅には、それぞれ円形のねじ挿通孔２００が設けられている。
【００２２】
放熱部材３は、図３及び図４に示すように、ベース部３０と、一対の縁部３１と、複数の放熱板３２とを有する。なお、ベース部３０、縁部３１及び放熱板３２は、例えばアルミニウム合金などの熱伝導性に優れた材料で形成されるのが好ましい。ベース部３０は、矩形平板状に形成される。ベース部３０の下面には、多数のねじ孔（雌ねじ）３００が設けられている。
【００２３】
一対の縁部３１の各々は、前後方向を長手方向とする直方体状であって、ベース部３０の左端縁又は右端縁においてベース部３０と一体に形成される。なお、縁部３１の厚み（上下方向の幅）は、ベース部３０の厚みよりも十分大きく形成されている。
【００２４】
縁部３１の前後方向における両端面には、それぞれねじ孔（雌ねじ）３１０が１つずつ設けられている。また、縁部３１の左右方向における外側面には、ねじ孔（雌ねじ）３１１が前後方向に沿って間隔を空けて複数設けられている。さらに、縁部３１の上面には、前後方向に並ぶように２つのねじ孔（雌ねじ）３１２が設けられている。
【００２５】
複数の放熱板３２は、それぞれ前後方向を長手方向とする矩形平板状であって、ベース部３０の上面においてベース部３０と一体に形成される。なお、これらの放熱板３２は、左右方向において間隔を空けて配置されている。
【００２６】
レンズブロック４は、図３及び図４に示すように、アクリル樹脂などの透光性を有する合成樹脂材料により、ブロック本体４０と複数のレンズ４１とが一体に形成される。ブロック本体４０は、矩形平板状の底板４００と、底板４００の周縁から上向きに突出する４つの側板４０１とを有する。複数のレンズ４１は、底板４００の上面において縦横に並べて一体に形成される。なお、これらのレンズ４１は、ＬＥＤモジュール２の各ＬＥＤ２１と一対一に対応する個数及び位置に設けられている。
【００２７】
前後方向における両側板４０１及び左側の側板４０１には、それぞれ固定片４０２が一体に形成されている。これらの固定片４０２は、各側板４０１の長手方向における中央部分において上端縁から上向きに突出している。また、これらの固定片４０２は、上下方向から見てＣ字形状に形成されている。
【００２８】
シール部材５は、例えばシリコーンゴムにより矩形枠状に形成される。シール部材５の四隅には、それぞれボルトの外形と類似した形状の突起５０が下向きに突出している。また、シール部材５の４つの辺には、それぞれ円形のねじ挿通孔５１が３つずつ間隔を空けて設けられている。さらに、シール部材５の左右方向における２つの辺には、それぞれ円形の貫通孔５２が２つずつ間隔を空けて設けられている。
【００２９】
カバー６は、図６Ａ〜図６Ｃに示すように、カバー本体６０と、外鍔６１とを有する。カバー本体６０及び外鍔６１は、ポリカーボネート樹脂などの透光性を有する合成樹脂材料により一体に形成される。
【００３０】
カバー本体６０は、矩形平板状の前面部６００と、前面部６００の周縁から上向きに突出する４つの側面部６０１とで上面が開口する矩形箱状に形成される。前面部６００の四隅には、それぞれ下向きに突出する突起６００１が設けられている。なお、前面部６００と各側面部６０１とは、弧状に湾曲する繋ぎ部６０２を介して一体に連結される。
【００３１】
外鍔６１は、上下方向から見て矩形枠状に形成され、カバー本体６０の開口端縁から外向きに突出する。また、外鍔６１の四隅には、それぞれ円形の嵌合孔６１１が設けられている。さらに、外鍔６１の４つの辺には、それぞれ円形のねじ挿通孔６１０が３つずつ間隔を空けて設けられている。また、外鍔６１の左右方向における２つの辺の上面には、それぞれ２つの突起６１２が間隔を空けて設けられている。
【００３２】
電源ユニット７は、図１及び図２に示すように、電源ブロックと、電源ブロックを収納するケース７１とを備える。
【００３３】
電源ブロックは、外部より供給される電力（例えば、商用電源より供給される交流電力）を２つの光源ユニット１に必要とされる電力（直流電力）に変換する電力変換回路を有する。電力変換回路は、例えば、全波整流器、力率改善回路（昇圧チョッパ回路）、ＤＣ／ＤＣコンバータ（降圧チョッパ回路）などで構成される。この電源ブロックは、電力変換回路を構成する多数の回路部品がプリント配線板の表面に実装されて構成される。
【００３４】
また、プリント配線板には、先端にプラグコネクタが設けられた出力ケーブルが電気的に接続されている。そして、この出力ケーブルをケース７１の外側に引き出し、光源ユニット１のレセプタクルコネクタにプラグコネクタを接続することで、電源ユニット７（電源ブロック）と光源ユニット１とが電気的に接続される。
【００３５】
ケース７１は、図１及び図２に示すように、底板７２と、天板７３と、４つの側板（図１及び図２では、第１側板７４及び第４側板７７のみ図示）とで構成される。底板７２は、ステンレス鋼板などの金属板により、前後方向に長い矩形平板状に形成されている。ただし、底板７２は、周縁部分が上向きに曲げ起こされることで強度の向上が図られている。また、底板７２の中央部分には、縦横に並べて配置された複数の貫通孔７２０が設けられている。
【００３６】
天板７３は、ステンレス鋼板などの金属板により前後方向に長い矩形平板状に形成されている。天板７３の前端縁には、矩形平板状の第１側板７４が下向きに垂れ下がるように形成されている。この第１側板７４には、縦横に並べて配置された複数の貫通孔７４０が設けられている。
【００３７】
また、天板７３の後端縁には、矩形平板状の第２側板が下向きに垂れ下がるように形成されている。この第２側板は、第１側板７４と同様に、縦横に並べて配置された複数の貫通孔が設けられている。さらに、天板７３の左端縁及び右端縁には、それぞれ第３側板、第４側板７７が下向きに垂れ下がるように形成されている。これらの第３側板、第４側板７７は、同一寸法の矩形平板状に形成されている。
【００３８】
連結部材１１は、図１及び図２に示すように、帯状の金属板（例えば、ステンレス鋼板など）で構成され、第１連結部１１０と、第１連結部１１０の両側に位置する２つの第２連結部１１１とを有する。なお、第１連結部１１０は、両側の第２連結部１１１に対して厚み方向（左右方向）に突出している。第１連結部１１０には、３つのねじ挿通孔が設けられている。また、各第２連結部１１１には、２つのねじ挿通孔が設けられている。
【００３９】
この連結部材１１は、第１連結部１１０及び各第２連結部１１１のねじ挿通孔に通したねじ１１２を、放熱部材３の縁部３１に設けられたねじ孔３１１にねじ込むことで、２つの光源ユニット１に取り付けられる（図１及び図２参照）。
【００４０】
アーム取付部材１３は、図１及び図２に示すように、固定部１３０と、一対の取付部１３１と、軸受け部１３２とを有する。なお、固定部１３０、取付部１３１及び軸受け部１３２は、例えばアルミダイカストによって一体に形成されるのが好ましい。
【００４１】
固定部１３０は、下側が開放された角樋状に形成される。一対の取付部１３１は、上下方向に長い円錐台形状に形成され、先端部（上端部）にはねじ孔（雌ねじ）が形成されている。軸受け部１３２は、円筒形状に形成され、一対の取付部１３１の間に配置されて各取付部１３１及び固定部１３０と繋がっている。また、軸受け部１３２には、２つのねじ孔が上下方向に並べて設けられている。
【００４２】
アーム１２は、図１及び図２に示すように、固定板１２０と、固定板１２０の左右方向における両端から下向きに突出する一対の支持板１２１とが金属板によって一体に形成されている。固定板１２０の右端には、円形のボルト挿通孔１２０１が設けられている。また、固定板１２０の左端には、長円形状のボルト挿通孔１２０２が設けられている。各支持板１２１の先端部（下端部）には、円形のねじ挿通孔と弧状のねじ挿通孔１２１１とが上下方向に並べて設けられている。
【００４３】
このアーム１２は、各支持板１２１の２つのねじ挿通孔にそれぞれ通したねじ１２２を、軸受け部１３２に設けた２つのねじ孔にそれぞれねじ込むことで、連結部材１１により連結された２つの光源ユニット１を回転可能に支持する。なお、ねじ挿通孔１２１１は弧状に形成されていることから、ねじ１２２を緩めることでアーム１２の角度を変えることができる。
【００４４】
次に、本実施形態の光源ユニット１を組み立てる手順について説明する。
【００４５】
まず、作業者は、ＬＥＤモジュール２を放熱部材３のベース部３０の下面に載せた後、ねじ挿通孔２００に通したねじ２２をベース部３０のねじ孔３００にねじ込んでＬＥＤモジュール２を放熱部材３に固定する。
【００４６】
続いて、作業者は、レンズブロック４をＬＥＤモジュール２に被せた後、レンズブロック４の各固定片４０２の溝に通したねじをベース部３０のねじ孔３００にねじ込んでレンズブロック４を放熱部材３に固定する。このとき、レンズブロック４の各レンズ４１は、対応するＬＥＤ２１の下方に位置するように配置される。
【００４７】
次に、作業者は、シール部材５の４つの突起５０を、カバー６の外鍔６１の四隅に設けた嵌合孔６１１にそれぞれ嵌め込んでシール部材５をカバー６に取り付ける。このとき、外鍔６１の上面より上向きに突出する突起６１２は、シール部材５の貫通孔５２に挿通される。
【００４８】
そして、作業者は、シール部材５を取り付けたカバー６をレンズブロック４に被せた後、外鍔６１のねじ挿通孔６１０に通したねじ６２をベース部３０のねじ孔３００にねじ込んでカバー６を放熱部材３に固定する。以上の手順により、本実施形態の光源ユニット１が組み立てられる（図５参照）。
【００４９】
さらに、本実施形態の照明器具１０を組み立てる手順について説明する。
【００５０】
まず、作業者は、２つの光源ユニット１を前後方向に並べて配置し、両光源ユニット１の放熱部材３の縁部３１と、各アーム取付部材１３の固定部１３０とを嵌合させる。続いて、作業者は、第１連結部１１０の段差に固定部１３０を合わせるようにして、連結部材１１を固定部１３０と両側の縁部３１に重ねる。
【００５１】
それから、作業者は、連結部材１１の両側の第２連結部１１１を各光源ユニット１の縁部３１にねじ止めし、さらに固定部１３０と第１連結部１１０とを各光源ユニット１の縁部３１にねじ止めする。これにより、２つの光源ユニット１が連結部材１１によって連結される。
【００５２】
次に、作業者は、電源ユニット７を一対のアーム取付部材１３に取り付ける。このとき、作業者は、電源ユニット７のケース７１を構成する底板７２に設けられた貫通孔に通したねじを各取付部１３１のねじ孔にねじ込むことで、電源ユニット７が一対のアーム取付部材１３に取り付けられる。その後、作業者は、電源ユニット７より引き出された出力ケーブルの結線作業を行う。
【００５３】
最後に、作業者は、支持板１２１の２つのねじ挿通孔に通したねじ１２２を、アーム取付部材１３の軸受け部１３２の２つのねじ孔にそれぞれねじ込むことで、アーム１２をアーム取付部材１３に取り付ける。以上の手順により、本実施形態の照明器具１０が組み立てられる（図１及び図２参照）。
【００５４】
以上の手順により組み立てられた照明器具１０は、アーム１２のボルト挿通孔１２０１，１２０２に通した一対の吊りボルトにナットが締め付けられることで建物の天井に設置される。
【００５５】
ところで、従来の照明器具では、グレアを低減するための拡散パネルを取り付けているため、透光パネルを透過した光の一部が拡散パネルの周縁部分で遮られてしまい、照明空間への照射効率が低下するという問題があった。また、拡散パネルは、透光パネルとの間に隙間を空けた状態で取り付けられる構造であり、そのためこの隙間に埃などが堆積した場合にも透光パネルを透過した光の一部が埃などで遮られてしまい、照明空間への照射効率が低下するという問題があった。
【００５６】
そこで、本実施形態の照明器具１０では、上記の問題を解決するために、以下の構成を採用している。図７Ａはカバー６の断面図であり、図７ＢはＸ部詳細図である。
【００５７】
カバー本体６０の前面部６００の内面には、図７Ｂに示すように、複数の第１シボ６００２が形成されている。また、カバー本体６０の側面部６０１の内面には、図７Ｂに示すように、複数の第２シボ６０１１が形成されている。第１シボ６００２は、第２シボ６０１１に比べてシボ深さが深くなっている。
【００５８】
なお、複数の第１シボ６００２の各々は、同じシボ深さであってもよいし、互いに異なるシボ深さであってもよい。また、複数の第２シボ６０１１の各々についても、同じシボ深さであってもよいし、互いに異なるシボ深さであってもよい。ここに、シボとは、前面部６００及び側面部６０１の内面に形成された凹凸のことをいう。また、シボ深さとは、凹部の底から凸部の先端までの高さのことをいう。
【００５９】
ＬＥＤモジュール２から放射された光のうち前面部６００に向かう光は、第１シボ６００２により拡散される。そのため、前面部６００の内面に第１シボ６００２を形成しない場合に比べてグレアを低減することができる。また、図７Ｂに示すように、各第１シボ６００２の傾斜面に複数のシボ６００３を形成した場合には、ＬＥＤモジュール２から前面部６００に向かう光をさらに拡散することができ、グレアをより効果的に低減することができる。
【００６０】
また、ＬＥＤモジュール２から放射された光のうち側面部６０１に向かう光は、第２シボ６０１１により拡散される。そして、側面部６０１を透過した光の一部が上向きに照射されることにより、天井面を照らすことができる。特に、本実施形態のように、第１シボ６００２に比べて第２シボ６０１１のシボ深さを浅くした場合には、第１シボ６００２と第２シボ６０１１とで同じシボ深さにした場合に比べて天井面をより明るく照らすことができる。
【００６１】
さらに、本実施形態の照明器具１０では、従来の照明器具のように拡散パネルを使用しなくてもよく、ＬＥＤモジュール２から放射された光が拡散パネルにより遮られないので、下方の照明空間への照射効率が低下しにくくなるという利点もある。つまり、本実施形態の光源ユニット１及び照明器具１０によれば、グレアを低減しつつ、照明空間への照射効率を低下しにくくすることができる。
【００６２】
また、本実施形態の照明器具１０では、カバー６において前面部６００と各側面部６０１とが繋ぎ部６０２を介して一体に連結されており、図７Ｂに示すように、繋ぎ部６０２の内面に第３シボ６０２１を形成するのが好ましい。この第３シボ６０２１は、側面部６０１から前面部６００に向けてシボ深さが徐々に深くなるように形成されている。このように、繋ぎ部６０２の内面に第３シボ６０２１を形成することにより、カバー６を透過する光の量が繋ぎ部６０２で急激に変化するのを抑えることができる。
【００６３】
ところで、本実施形態の照明器具１０では、カバー６の上下方向における高さ寸法ｈ１（図７Ａ参照）が、従来の照明器具の透光パネルに比べて大きくなっている。言い換えれば、ＬＥＤモジュール２のＬＥＤ２１からカバー６の前面部６００までの距離が長くなっている。その結果、従来の透光パネルと同じ高さ寸法に設定した場合に比べて光拡散性を向上させることができる。
【００６４】
また、例えば作業台などにカバー６を置く際には、前面部６００を下側に向けて置かれる場合が多いが、本実施形態のように、カバー６の前面部６００の下面に突起６００１を設けることで前面部６００の下面が傷つきにくくなるという利点がある。
【００６５】
なお、本実施形態では、照明器具１０が高天井用の照明器具である場合を例に説明したが、例えば道路灯や街路灯などの照明器具であってもよい。また、本実施形態では、光源ユニット１が２つの場合を例に説明したが、光源ユニット１は３つ以上であってもよい。さらに、本実施形態では、ＬＥＤモジュール２を光源としたが、光源はＬＥＤに限らず、例えばハロゲンランプなどであってもよい。
【００６６】
以上説明したように、本実施形態の光源ユニット１は、光源（ＬＥＤモジュール２）と、透光性を有する材料からなるカバー６とを備える。カバー６は、光源と対向する前面部６００及び前面部６００の周縁から前面部６００と交差する方向でかつ光源側に突出する側面部６０１により箱状に形成され、光源を覆うように配置される。また、カバー６は、側面部６０１に比べて前面部６００の光拡散性が高くなるように、前面部６００の内面に第１シボ６００２が形成され、かつ、側面部６０１の内面に第２シボ６０１１が形成されている。
【００６７】
本構成によれば、光源から放射される光は前面部６００に形成した第１シボ６００２により拡散されるので、前面部６００に第１シボ６００２を形成していない場合に比べてグレアを低減することができる。しかも、従来の照明器具のように、光源から放射される光が拡散パネルの周縁部分で遮られないので、照明空間への照射効率を低下しにくくすることもできる。さらに、前面部６００に比べて側面部６０１の光拡散性を低くしているので、前面部６００と側面部６０１とで光拡散性を同じにした場合に比べて天井面を明るく照らすことができる。
【００６８】
また、本実施形態の光源ユニット１のように、第１シボ６００２は、第２シボ６０１１に比べてシボ深さが深くなっているのが好ましい。
【００６９】
本構成によれば、光源から放射される光は前面部６００に形成した第１シボ６００２により拡散されるので、前面部６００に第１シボ６００２を形成していない場合に比べてグレアを低減することができる。しかも、従来の照明器具のように、光源から放射される光が拡散パネルの周縁部分で遮られないので、照明空間への照射効率を低下しにくくすることもできる。さらに、前面部６００に比べて側面部６０１の光拡散性を低くしているので、前面部６００と側面部６０１とで光拡散性を同じにした場合に比べて天井面を明るく照らすことができる。
【００７０】
また、本実施形態の光源ユニット１のように、側面部６０１と前面部６００とをつなぐ繋ぎ部６０２の内面は、曲面形状であって、側面部６０１から前面部６００に向けてシボ深さが徐々に深くなるような第３シボ６０２１が形成されるのが好ましい。
【００７１】
本構成によれば、側面部６０１から前面部６００に向けてシボ深さが徐々に深くなるような第３シボ６０２１を繋ぎ部６０２に形成しているので、カバー６を透過する光の量が繋ぎ部６０２で急激に変化するのを抑えることができる。
【００７２】
本発明の照明器具１０は、光源ユニット１と、光源ユニット１に給電する電源ユニット７とを備えている。
【００７３】
本構成によれば、上述の光源ユニット１を用いることによって、グレアを低減しつつ、照明空間への照射効率を低下しにくくすることができる。
【符号の説明】
【００７４】
１  光源ユニット
２  ＬＥＤモジュール（光源）
６  カバー
７  電源ユニット
１０  照明器具
６００  前面部
６０１  側面部
６０２  繋ぎ部
６００２  第１シボ
６０１１  第２シボ
６０２１  第３シボ
【図１】
0006544679.tif 000002
【図２】
0006544679.tif 000003
【図３】
0006544679.tif 000004
【図４】
0006544679.tif 000005
【図５】
0006544679.tif 000006
【図６】
0006544679.tif 000007
【図７】
0006544679.tif 000008